(57)【要約】【課題】従来の建設部材の移動はクレーンにより行なっていたので、風などの影響で危険があるという欠点があった。【解決手段】本発明の物品移動台車装置は、移動すべき建築部材に固定したプレートと、このプレートの形成したＨ形鋼挿通溝と、この挿通溝の上部において上記プレートに設けた、互いに離間して対向する回転自在な一対の車輪と、上記挿通溝を挿通したＨ形鋼と上記プレートとを互いに固定せしめる手段とよりなり、上記車輪を上記Ｈ形鋼のフランジ上に載置して、上記建設部材を上記Ｈ形鋼上で移動自在ならしめたことを特徴とする。【選択図】図２
2008308921.tif 000002
【特許請求の範囲】
【請求項１】
移動すべき建築部材に固定したプレートと、このプレートの形成したＨ形鋼挿通溝と、この挿通溝の上部において上記プレートに設けた、互いに離間して対向する回転自在な一対の車輪と、上記挿通溝を挿通したＨ形鋼と上記プレートとを互いに固定せしめる手段とよりなり、上記車輪を上記Ｈ形鋼のフランジ上に載置して、上記建設部材を上記Ｈ形鋼上で移動自在ならしめたことを特徴とする物品移動台車装置。
【請求項２】
基台平面に固定したプレートと、このプレートの上面に突設した軸支持耳片と、この軸支持耳片に車軸を介して回転自在ならしめた、互いに離間して対向する一対の車輪とよりなり、上記車輪上で建設部材としてのＨ形鋼を移動自在ならしめたことを特徴とする物品移動台車装置。
【請求項３】
上記一対の車輪の夫々外側面に鍔を設け、上記鍔間に上記Ｈ形鋼のフランジが挟持されるようにしたことを特徴とする請求項１または２記載の物品移動台車装置。
【発明の詳細な説明】
【技術分野】
【０００１】
本発明は物品移動台車装置、特に建設現場で用いるフレームやＨ形鋼などの建設部材、移動するための物品移動台車装置に関するものである。
【背景技術】
【０００２】
従来、建設現場で用いるフレームやＨ形鋼などの建設部材の移動はクレーンにより行なっていた。このようなクレーンとしては例えば特許文献１がある。
【特許文献１】特開２００４−１５５５１２号
【発明の開示】
【発明が解決しようとする課題】
【０００３】
然しながら、上記従来のクレーンで建設部材を吊り上げ移動せしめる方法では、移動中は建設部材を固定できないので、風による吹き上げなどで建設部材が揺れ、危険である等の欠点があった。
【０００４】
本発明は上記の欠点を除くようにしたものである。
【課題を解決するための手段】
【０００５】
本発明の物品移動台車装置は、移動すべき建築部材に固定したプレートと、このプレートの形成したＨ形鋼挿通溝と、この挿通溝の上部において上記プレートに設けた、互いに離間して対向する回転自在な一対の車輪と、上記挿通溝を挿通したＨ形鋼と上記プレートとを互いに固定せしめる手段とよりなり、上記車輪を上記Ｈ形鋼のフランジ上に載置して、上記建設部材を上記Ｈ形鋼上で移動自在ならしめたことを特徴とする。
【０００６】
また、本発明物品移動台車装置は、基台平面に固定したプレートと、このプレートの上面に突設した軸支持耳片と、この軸支持耳片に車軸を介して回転自在ならしめた、互いに離間して対向する一対の車輪とよりなり、上記車輪上で建設部材としてのＨ形鋼を移動自在ならしめたことを特徴とする。
【０００７】
また、本発明の物品移動台車装置においては、上記一対の車輪の夫々外側面に鍔を設け、上記鍔間に上記Ｈ形鋼のフランジが挟持されるようにしたことを特徴とする。
【発明の効果】
【０００８】
本発明によれば、建築部材上を横ぶれなく容易且つ安全に移動できるという大きな利益がある。
【発明を実施するための最良の形態】
【０００９】
以下図面によって本発明の実施例を説明する。
【実施例１】
【００１０】
本発明の物品移動台車装置の第一の実施例は、図１〜図３に示すように、フレーム等の建設部材１の下部にボルト２により固定した垂直プレート３と、上記プレート３の下部に設けた、Ｈ形鋼４の上部フランジ５の左右の幅に相当する幅と上部フランジ３の厚さより十分大きい深さの左右方向に伸びる水平溝６と、上記水平溝６の両端外側位置において上記プレート３の正面７の左右に夫々離間して突設した軸支持耳片８，８と、上記左右の軸支持耳片８，８によって回転自在に支持した、上記水平溝６と平行な回転軸９，９と、上記軸支持耳片８，８の夫々内側において上記回転軸９，９に夫々固定した車輪１０，１０と、上記各車輪１０，１０の外側面に夫々設けた鍔１１，１１と、上記水平溝６の上方位置において上記プレート３の背面１２に上下動自在に固定せしめたＬ形板１３と、このＬ形板１３の水平折り曲げ片１４の上面と上記Ｈ形鋼４の上部フランジ５の下面を挟持して互いに固定せしめるための固定手段１５とよりなる。
【００１１】
本発明の物品移動台車装置の第一の実施例は上記のような構成であるから、上記プレート３の水平溝６内にＨ形鋼４の上部フランジ５の一端を挿入せしめ、上記Ｈ形鋼４の上部フランジ５の上面に上記車輪１０，１０を載置せしめれば、上記物品移動台車装置が上記フランジ５上に移動自在に支持されるから、上記台車装置を上記Ｈ形鋼４上の所望の場所まで移動せしめ、上記固定手段１５により上記水平折り曲げ片１４と上記上部フランジ５とを固定せしめれば、上記台車装置を上記Ｈ形鋼４上に固定できるようになる。
【００１２】
なお、Ｈ形鋼の上部フランジ５を上記プレート３の水平溝６内に挿入せしめ、このフランジ５上に車輪１０を載置せしめ、その際上記Ｈ形鋼の上部フランジ５を上記車輪１０の鍔１１間で挟持するようにすれば建設部材１を安全確実にＨ形鋼上に沿って移動することができ、また任意の位置に固定できるようになる。
【００１３】
また、上記Ｈ形鋼４の上部フランジ５を上記車輪１０，１０の鍔１１，１１間に位置せしめるので、移動時の横方向のぶれを抑えることができる。
【実施例２】
【００１４】
図４は建設部材としてのＨ形鋼１６を移動自在な本発明の物品移動台車装置の第二の実施例を示す。この第二の実施例においては、上記第一実施例と同一部分は同一の符号を付して示し、その詳細な説明は省略する。
【００１５】
上記第二実施例においては基台平面となる例えばＨ形鋼１７の上部のフランジ５の上面の少なくとも２個所にプレート３を水平に載置し、固定手段１５によって固定せしめ、上記プレート３の上面左右に軸支持耳片８，８を突設し、この耳片８，８によって回転自在に支持せしめた回転軸９，９に鍔付き車輪１０，１０を固定し、この車輪１０，１０によって建設部材としてのＨ形鋼１６を移動自在に支持せしめる。
【００１６】
この第二実施例の作用効果は、上記第一実施例の作用効果と同様である。
【図面の簡単な説明】
【００１７】
【図１】本発明の物品移動台車装置の第一の実施例の要部の正面図である。
【図２】図１に示す物品移動台車装置の斜視図である。
【図３】図１に示す物品移動台車装置の背面側からみた斜視図である。
【図４】本発明の物品移動台車装置の第二の実施例の斜視図である。
【符号の説明】
【００１８】
１  建設部材
２  ボルト
３  垂直プレート
４  Ｈ形鋼
５  上部フランジ
６  水平溝
７  正面
８  軸支持耳片
９  回転軸
１０  車輪
１１  鍔
１２  背面
１３  Ｌ形板
１４  水平折り曲げ片
１５  固定手段
１６  建設部材としてのＨ形鋼
１７  Ｈ形鋼
【図１】
2008308921.tif 000003
【図２】
2008308921.tif 000004
【図３】
2008308921.tif 000005
【図４】
2008308921.tif 000006